(57)【要約】【課題】従来のゴルフパターの練習器具は単調な動作の繰り返しなので、すぐに飽きてしまう欠点がある。飽きのこない練習器具にする事が課題である。【解決手段】反射板に囲まれたフィールドの中で、反射板を利用しながら、ゴルフボールをパットで打つ。そして、カップあるいはカップの代用になる打撃目標に到達する事を競う対戦ゲーム器、あるいは一人でも楽しめるゲーム器にして解決する。【選択図】図１
2010178952.tif 000002
【特許請求の範囲】
【請求項１】
フィールド上の少なくとも３方向以上に反射板を設置し、該反射板あるいは該フィールド上の少なくとも１箇所以上に打撃目標を設け、該フィールドは少なくとも該反射板の内側にある内側フィールドを有し、該内側フィールドと該反射板の外側にも広がる外側フィールドの段差を１０ｃｍ以下にする事で該外側フィールドにも足場を確保し、該フィールド上で、プレーヤーが該打撃目標に向かって、パターでゴルフボールをパッティングするゴルフゲーム器。
【請求項２】
反発係数が０．７以上の反射部分を有する反射板である請求項１のゴルフゲーム器。
【請求項３】
該内側フィールド上に該反射板に沿って、傾斜したスカート部分を設置し、ゴルフボールが該反射板に近づいて止まると、該スカートの傾斜で落下して、該スカートの下まで戻る構造とした請求項１のゴルフゲーム器。
【請求項４】
該内側フィールド上に、ゲームのルール模様を描き、該ゲームの進行を円滑にする請求項１のゴルフゲーム器。
【請求項５】
該反射板の一部を該反射板の他の部分から容易に切り離せるようにした請求項１のゴルフゲーム器。
【請求項６】
少なくとも３方向以上の反射板を有し、でき合いの床、あるいはカーペット、あるいは芝をフィールドの代用とするゴルフゲーム器。
【発明の詳細な説明】
【技術分野】
【０００１】
本発明は、ゴルフ用のパターを使用して、ゴルフボールをターゲットに向かって打つ練習器具やゲームに関する。
【背景技術】
【０００２】
さまざまなゴルフパターの練習器具が提案され販売されている。パターマットの先にカップを置いて、パッティングしてゴルフボールをカップに入れる器具。また、本発明者が先に特許出願した、反発係数の高い反射部分を有する反射板に向かってパッティングして跳ね返ってきたボールを何度も打つ練習器具などがある。一方、ゲームとしては、スティックを使ってボールをターゲットに向かって転がすビリヤードがある。
【０００３】
しかし、いずれのゴルフ練習器具も単純な動作の繰り返しなので、飽きてしまう欠点があった。また、誰も考えない事だが、ビリヤードの台に上って、パターでゴルフボール打つと落下して怪我をする危険がある。
【先行技術文献】
【特許文献】
【０００４】
【特許文献１】特開２００８−１４２１１３号公報
【非特許文献】
【０００５】
【非特許文献１】有限会社ニューアートのホームページ（http://www.newart.co.jp/）のビリヤード台の中のメンテナンスのページ
【発明の概要】
【発明が解決しようとする課題】
【０００６】
解決しようとする問題点は、ゴルフパターの練習器具が単調な動作の繰り返しなので、飽きてしまう点である。
【課題を解決するための手段】
【０００７】
本発明は、ゴルフパッティングをゲーム感覚で行えるゴルフパターの練習器具にする事。言い換えれば、ゴルフパッティングをシミュレーションするゲーム器にして課題を解決する。すなわち、反射板に囲われたフィールドの中で、反射板を利用しながら、ゴルフボールをパットで打つ。そして、カップあるいはカップの代用になる打撃目標に到達する事を競う対戦ゲーム器、あるいは一人でも楽しめるゲーム器にして解決する。
【発明の効果】
【０００８】
本発明のゴルフゲーム器は、反射板を使用する事で、反射板に囲まれた狭いフィールドでも長い距離のパッティングをシミュレーションできる効果がある。また、パターを使用してパッティングしてカップの代用である打撃目標に到達する事を競うゲームなので、本番のパッティングと同じ技術を要する。従って、ゲームに強くなる事は本番のパッティング技術を磨く効果がある。さらにゲームとしての面白さがあるので、課題であったすぐに飽きない利点がある。
【図面の簡単な説明】
【０００９】
【図１】図１はゴルフゲーム器の構造を示した斜視図である。（実施例１）
【図２】図２はゴルフゲーム器の構造を示した斜視図である。（実施例２）
【図３】図３はゴルフゲーム器の反射板の構造を示した断面図である。（実施例２）
【図４】図４は反射板の反発係数を測定する方法を示す説明図である。(実施例２)
【図５】図５はゴルフゲーム器の構造を示した斜視図である。（実施例３）
【図６】図６はゴルフゲーム器の反射板の構造を示した断面図である。（実施例３）
【図７】図７はゴルフゲーム器の構造を示した斜視図である。（実施例４）
【図８】図８はゴルフゲーム器の構造を示した斜視図である。（実施例５）
【図９】図９はゴルフゲーム器の構造を示した斜視図である。（実施例６）
【発明を実施するための形態】
【００１０】
反射板に囲まれた狭いフィールドで、パターを使用してパッティングしてカップの代用である打撃目標に到達する事を競うゲーム器にする事で、ゴルフパッティングをシミュレーションするゲーム器にする。
【実施例１】
【００１１】
図１は、本発明のゴルフゲーム器の実施例１の斜視図であって、フィールド１をパターマット素材で作成し、フィールド１上の４方向に反射板２，３，４，５を設置し、反射板４の一部をくりぬいて打撃目標６にする。また、打撃目標６の後ろのフィールド１の一部に穴を開けてカップ７にする。また、カップ７の後ろもカップ用反射板８で囲んでいる。ところで、反射板２，３，４，５で囲んだフィールド１を内側フィールド９とし、外側を外側フィールド１０とするが、内側フィールド９と外側フィールド１０の境界の一部は反射板を設置していなくとも、本発明の趣旨は変わらない。例えば、反射板２がなくとも、反射板３，４，５が設置されたフィールド１の境界１１，１２，１３が開放されたフィールド１の境界１４より長ければ、本発明のゴルフパターゲーム器は成立する。さらに、打撃目標６は１箇所である必要はなく、複数設けても本発明の趣旨は変わらない。しかし、内側フィールド９と外側フィールド１０の段差はないのが理想だが、段差があったとして１０ｃｍ以下にする。ところで、外側フィールド１０はかならずしも、内側フィールド９を作成するパターマット素材である必要はなく、でき合いの床、あるいはカーペット、あるいは芝などであっても良い。重要な事は、内側フィールド９のパターマットと、でき合いの床、あるいはカーペット、あるいは芝などとの段差が１０ｃｍ以内になる事である。
【００１２】
次に、このゴルフゲーム器の作用を、二人で行う対戦ゲームに使用する一つのルールを例にして説明する。そのルールは、先ず先攻者が内側フィールド９に描いたスタート点１５にゴルフボールを置いて、パターで打つ事からスタートする。第１打は少なくとも１回は反射板２，３，４，５のいずれかに当てなければならない。次に、後攻者も、第１打は少なくとも１回は反射板２，３，４，５のいずれかに当てなければならない。二人が交互に打撃して、先にカップ７に入れた方が勝ちである。但し、相手のボールをはじいたり、行く手の邪魔をして、相手がカップ７に入れられないようにする防御は許可する。こうしたルールにすると、ゴルフボールを正確に正しいパッティングホームで打つ必要があるので、パッティング技術が向上する。また、ボールが内側フィールド９に静止する位置によっては、反射板２，３，４，５を使用した方がカップ７を狙いやすい場面が出てくる。反射板２，３，４，５を使用する事は、長い距離のパッティングを行う事なので、長い距離のパッティング技術を磨く事ができる。このように、ゲームを楽しみながら、パッティング技術も向上させる効果がある。但し、内側フィールド９だけでは、ゴルフボールの静止する位置によっては、足場が不安定になり、正しいパッティングホームで打つ事ができない。そこで、外側フィールド１０にも足を置いて打って良いルールにする。すると、内側フィールド９と外側フィールド１０に大きな段差があると、実際のグリーン上でパッティングする足場とかけ離れてしまう。もし、ビリヤードの台上のように、内側フィールド９が外側フィールド１０からせり上がっていると、外側フィールド１０に足場ができない事は明らかである。従って段差はない方が良いが、１０ｃｍ以内であれば許容範囲である事は感覚的に確認した。
【実施例２】
【００１３】
次に、実施例２では、図２に示すように、反射板２，３，４，５に反射部分１６，１７，１８，１９、を設ける。１点鎖線ａ−ｂで切った反射板２の断面図を図３に示すが、反射部分１６の反発係数を０．７以上にして、破線で描いたゴルフボール２０が、反射部分１６に接触する様子を示している。反射部分１６は図３で示すように三角形の天然ゴムや天然ゴムパイプを使用すると反発係数が０．７以上にする事が分かっているが、他の素材や形状であっても、本発明の趣旨は同じである。ところで、本発明で用いる反発係数の測定方法を図４を使用して以下に示す。先ずゴルフボール２１を特定の坂道２２の上から自然落下さる。例えば、勾配２３が３０度の坂道２２に沿って上に５０ｃｍの距離から自然落下させる。坂道２２の最低点２４の延長に平らに敷いたパターマット２５上の途中の位置２６に反射部分２７が設定されるように反射板２８を設置してあって、反射部分２７で反射して戻ってきて静止する静止位置２９までの距離をＡとする。次に反射板２８を取り去って、同様に坂道２２の上５０ｃｍの位置からゴルフボール２１を自然落下し、パターマット２５上に静止させる。先に反射部分２７のあった位置２６から静止位置３０までの距離をＢとする。そしてＡをＢで割って反発係数にする。
【００１４】
反射部分１６の反発係数が１であれば、パッティングして反射部分２７で反射して転がって静止する距離Ａは、反射板がない場合の転がる距離Ｂと同じである。すると、競技者は実際のパッティングの打撃の強さと転がる距離の感覚でゲームを行う事ができる。すなわち、反発係数が高ければ高い程、実際のパッティングのシミュレーションになり、パッティング技術を磨く効果が上昇する。反発係数を０．７以上としたのは、反射部分２７にさまざまな素材を検討した結果であり、違和感なく実際のパッティングのシミュレーションになる最低限界だと判断している。
【実施例３】
【００１５】
次に実施例３については、図５に示すように、内側フィールド９上に反射板２，３，４，５に沿って、傾斜したスカート３１，３２，３３，３４を設置する。１点鎖線ｃ−ｄで切った反射板２とスカート３１の断面図を図６に示すが、反射板位置３５からスカート３１の末端３６までの末端距離は５ｃｍ以上３０cm以下が適当である。また、傾斜角度３７は５度から１５度が好ましい。しかし、末端距離と傾斜角度はこの数値に限定するものではない。
【００１６】
すると、ゲーム中、ゴルフボール２０の静止した位置が反射板２に接近していた場合、スカート３１の傾斜で落下して末端３６まで戻るので、パターが反射板２で邪魔される事なくパッティングできる効果がある。反射板位置３５から末端３６までの距離が５ｃｍである事は、パターが反射板２に接触しないでパッティングできる最小距離であり、３０cmである事は、図５に示す内側フィールド９を有効に使用できる最大距離である。また、傾斜角度３７が５度である事は、スカート３１の斜面３８が平滑であっても、斜面３８上で止まらないで落下する最小角度であり、３０度である事は、斜面３８が芝状であっても、ボールが落下の勢いでフィールド９に転がり過ぎない最大角度である。他の反射板３，４，５とスカート３２，３３，３４との関係も同様である。
【実施例４】
【００１７】
次に実施例４については、図７に示すように内側フィールド９上に、ゲームのルール模様３９を描く。図７では、反射板２，３，４，５から３０ｃｍの距離に四角形の線を描いてルール模様３９にしている。
【００１８】
ゲーム中、ルール模様３９の外側４０にボールが静止した場合は、最短距離にあるルール模様３９までボールを戻しても良いルールにする。すると、図２で示したスカート３１，３２，３３，３４を設けなくても、反射板２，３，４，５がパターの邪魔にならない位置までボールを反射板２，３，４，５から遠ざける事ができるので、正確なパッティングができる効果がある。
【実施例５】
【００１９】
次に実施例５については、別のルールに基づくゲームを実施するためのルール模様４１を図８に示す。大中小３個の円４２，４３，４４を描いて、内側フィールドを４つの領域に分けてルール模様４１にする。それぞれ領域Ａ、領域Ｂ、領域Ｃ、領域Ｄになる。領域は４つ以外でも、２つ以上の領域があれば、本発明の趣旨は変わらない。
【００２０】
その使用方法は、領域Ａはカップの位置を示していて、できるだけ少ない打数でカップする事を競うゲームである。領域Ｂにボールがある時は反射板２，３，４，５のいずれかに２回以上当てる事を義務付け、領域Ｃにボールがある時は反射板２，３，４，５のいずれかに１回以上当てる事を義務付け、領域Ｄにボールがある時は領域Ａすなわち直接カップを狙う事ができる。このように内側フィールド９上にルール模様を描くと、さまざまなルールが可能になる上、反射板２，３，４，５に打撃目標６の穴を開けたりする必要がなくなる効果もある。
【実施例６】
【００２１】
次に実施例６については、図９に示すように反射板３の一部、あるいは全てを取り外せるようにする。図６では、反射板３の１辺を３個のブロック４５，４６，４７に分割しているが、分割数はいくつであっても本発明の趣旨は同じである。分割した各ブロック４５，４６，４７は接続機構を持たなくて、各ブロック４５，４６，４７をフィールド１に置くだけにしても良いが、できれば、容易に着脱できる接続機構を設けた方がゲームを公平にする事ができる。但し、どのような接続機構であっても本発明の趣旨は変わらないので、接続機構の構造に関する説明は省略する。他の反射板２，４，５においても同様である。
【００２２】
その使用方法は、例えばボール４８がブロック４６に近接して静止した時、ブロック４６が邪魔になって、正常なパッティングホームで打つ事ができない。そのような時、ブロック４６を外して、内側フィールド９と外側フィールド１０をオープンにすると、パター４９をバックスイングしてもブロック４６に当たらないので、正常なスイングができる効果がある。打撃をした後、ブロック４６を元の位置に戻して、反射板３として再び使用可能にする。接続機構があれば、外したブロック４６を元に戻す時、元の状態に戻しやすい上、故意に斜めに置いたりする操作を防ぐ事もできる。また、他のブロック４５，４７としっかりと接続すると、ボール４８が当たった衝撃でブロック４６が移動するのを、他のブロック４５，４６と共同で防止できる効果がある。他の反射板２．４．５においても作用は同じである。
【実施例７】
【００２３】
次に実施例７においては、実施例１から実施例６までに説明した本発明の構成において、フィールド１を除いた構成にする。反射板を平坦な床、例えばでき合いの床、あるいはカーペット、あるいは芝などに置いた時、内側フィールドと外側フィールドが完成する構成にする。例えば、各反射板２，３，４，５あるいは各ブロック４５，４６，４７が分解されていて、組み立てると本発明の反射板になる構成も含まれる。
【００２４】
その使用方法は、反射板２，３，４，５を、でき合いの床、あるいはカーペット、あるいは芝の上に置くだけで、でき合いの床、あるいはカーペット、あるいは芝が請求項１で説明したフィールドになる。打撃目標６もできあいのカップなどを使用すると、本発明のゴルフゲーム器のルールを適用してゲームを行う事が可能になる。
【産業上の利用可能性】
【００２５】
本発明のゴルフゲーム器を提供すると、新規なゲームを提案する事になり、ゲームセンターや温泉など保養施設で卓球台のような娯楽として利用できる。また、実際のゴルフのパッティング感覚をできるだけシミュレーションする本発明の趣旨によって、ゴルフ場やゴルフ練習場で、飽きのこないパッティング練習器具として利用できる。
【符号の説明】
【００２６】
１    フィールド
２    反射板
６    打撃目標
７    カップ
９    内側フィールド
１０  外側フィールド
１６    反射部分
３１    スカート
３９    ルール模様
４６    ブロック
【図１】
2010178952.tif 000003
【図２】
2010178952.tif 000004
【図３】
2010178952.tif 000005
【図４】
2010178952.tif 000006
【図５】
2010178952.tif 000007
【図６】
2010178952.tif 000008
【図７】
2010178952.tif 000009
【図８】
2010178952.tif 000010
【図９】
2010178952.tif 000011